(57)【要約】【課題】携帯に便利な送信手段を用いてＩＤコードによりロッカーボックスを解錠できるようにしながら、簡単な制御でしかも利用し易いロッカーシステムを提供する。【解決手段】空きロッカーボックス２のロッカー扉２ａを開けて荷物を収納し、施錠スイッチ２３を操作する。集中制御装置１は、各ロッカーボックス２の施錠スイッチ２３の操作状態を監視する。最初に操作されたロッカーボックス２の処理を優先させる。非接触ＩＣカードＣアンテナ部１３ａにかざす。非接触ＩＣカードＣのＩＤコードを集中制御装置１で読み取る。操作表示部１２ａに料金投入を案内する。硬貨投入口１６ａから硬貨の投入あるいは紙幣投入口１５ａから紙幣を投入する。集中制御装置１は錠装置２１を施錠し状態表示用ＬＥＤ２５を赤色の点灯にする。携帯電話機Ｔによる操作も可能とする。【選択図】図１
2005163263.tif 000002
【特許請求の範囲】
【請求項１】
複数のロッカーボックスと該ロッカーボックスの施解錠を制御する制御手段を備え、ＩＤコードが設定されるとともに該ＩＤコードを送信可能な携帯送信手段と前記制御手段とで送受信を行うことで、ロッカーボックスの使用を可能にした貸しロッカーシステムであって、
前記各ロッカーボックスに対応する施錠スイッチを備え、前記制御手段は該施錠スイッチの操作を監視し、該施錠スイッチの操作を検出すると該検出された施錠スイッチに対応するロッカーボックスについて、前記携帯送信手段に対する処理を優先実行し、該処理が終了するまで他の施錠スイッチの操作に対応する処理を待機させることを特徴とする貸しロッカーシステム。
【請求項２】
前記ロッカーボックスに表示手段を備え、制御手段は操作が検出された施錠スイッチに対応するロッカーボックスについて表示手段で該操作の検出に対応する表示を行うことを特徴とする請求項１に記載の貸しロッカーシステム。
【請求項３】
前記携帯送信手段として、利用者特有のＩＤコードが記録されたカード型の携帯送信手段を用いることを特徴とする請求項１または２に記載の貸しロッカーシステム。
【請求項４】
前記携帯送信手段として携帯電話機を用い、該携帯電話の電話番号を前記ＩＤコードとすることを特徴とする請求項１または２に記載の貸しロッカーシステム。
【請求項５】
前記携帯送信手段として、利用者特有のＩＤコードが記録されたカード型の携帯送信手段及び携帯電話機を用いるとともに、前記制御手段が該カード型の携帯送信手段と、携帯電話機との間でそれぞれ送受信可能にしたことを特徴とする請求項１または２に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、貸しロッカーシステムは、空きロッカーボックスに荷物を収納して扉を閉め、利用料金としてコインを投入することにより鍵による施錠が可能となる。そして、施錠すると利用料金は装置内に回収される。また、所定時間以内であれば鍵による解錠が可能であり、時間超過により超過料金が発生している場合にはその料金を投入して解錠が可能となる。しかし、このような貸しロッカーシステムでは利用者は、利用期間中は鍵を保管している必要があり不便である。
【０００３】
また、暗証番号式のロッカー装置も多々有り、このようなロッカー装置では鍵などを保管する必要がなく、また、鍵の紛失や盗難などによる不都合も回避できるという利点があり、広く普及している。例えば、ゴルフ場などのスポーツ施設で会員（メンバー）にロッカーボックスを指定して提供するものがある。しかし、この場合も利用者は暗証番号を覚えておく必要があり、この点で不便である。
【０００４】
そこで、例えば特許第２８５８０１４号公報に開示されているように、プリペードカードを用い、ロッカー使用時にプリペードカードにロッカー番号等を記憶させておき、そのプリペードカードを用いて解錠できるようにしたものがある。
【０００５】
また、特開２００１−３２５６６０号公報には、携帯電話機を利用してロッカー装置の空き状態などの情報を確認でき、利用料金を携帯電話機の電話番号に対して課金し、さらにその電話番号を照合することで解錠できるようにしたものがある。
【特許文献１】特許第２８５８０１４号公報
【特許文献２】特開２００１−３２５６６０号公報
【発明の開示】
【発明が解決しようとする課題】
【０００６】
前記のようにプリペードカードや携帯電話機を用いてロッカーボックスの解錠等を行えるようにすると、鍵や暗証番号の問題も解決するが、このようなプリペードカードを読み取るためのカードリーダや、操作状態の表示等を行うための各種装置をロッカーボックス各個に設けるのはコストの面で問題があるので、このような装置あるいは操作部は複数のロッカーボックスのひとまとまりであるユニットについて１台の制御装置に設けるのが一般的である。しかし、複数の利用者の各々がロッカーボックスを同時に利用することも考えられ、このような場合に、１台の制御装置で操作する場合に混乱が生じる可能性もある。また、同時に各ロッカーボックスに対応する処理を行うとなると制御ユニットの処理が複雑になる。
【０００７】
本発明は、携帯に便利な送信手段を用いてＩＤコードによりロッカーボックスを解錠できるようにしながら、簡単な制御でしかも利用し易いロッカーシステムを提供することを課題とする。
【課題を解決するための手段】
【０００８】
請求項１の貸しロッカーシステムは、複数のロッカーボックスと該ロッカーボックスの施解錠を制御する制御手段を備え、ＩＤコードが設定されるとともに該ＩＤコードを送信可能な携帯送信手段と前記制御手段とで送受信を行うことで、ロッカーボックスの使用を可能にした貸しロッカーシステムであって、前記各ロッカーボックスに対応する施錠スイッチを備え、前記制御手段は該施錠スイッチの操作を監視し、該施錠スイッチの操作を検出すると該検出された施錠スイッチに対応するロッカーボックスについて、前記携帯送信手段に対する処理を優先実行し、該処理が終了するまで他の施錠スイッチの操作に対応する処理を待機させることを特徴とする貸しロッカーシステム。
【０００９】
請求項２の貸しロッカーシステムは、請求項１に記載の貸しロッカーシステムであって、前記ロッカーボックスに表示手段を備え、制御手段は操作が検出された施錠スイッチに対応するロッカーボックスについて表示手段で該操作の検出に対応する表示を行うことを特徴とする。
【００１０】
請求項３の貸しロッカーシステムは、請求項１または２に記載の貸しロッカーシステムであって、前記携帯送信手段として、利用者特有のＩＤコードが記録されたカード型の携帯送信手段を用いることを特徴とする。
【００１１】
請求項４の貸しロッカーシステムは、請求項１または２に記載の貸しロッカーシステムであって、前記携帯送信手段として携帯電話機を用い、該携帯電話の電話番号を前記ＩＤコードとすることを特徴とする。
【００１２】
請求項５の貸しロッカーシステムは、請求項１または２に記載の貸しロッカーシステムであって、前記携帯送信手段として、利用者特有のＩＤコードが記録されたカード型の携帯送信手段及び携帯電話機を用いるとともに、前記制御手段が該カード型の携帯送信手段と、携帯電話機との間でそれぞれ送受信可能にしたことを特徴とする。
【発明の効果】
【００１３】
請求項１の貸しロッカーシステムによれば、携帯送信手段のＩＤコードによりロッカーボックスを使用することが可能となるので利用しやすくなり、かつ、制御手段は施錠スイッチの操作が検出されたロッカーボックスについての処理のみを行って、その処理が終了するまで他のロッカーボックス（施錠スイッチ）についての処理を行わないので、簡単な制御となる。
【００１４】
請求項２の貸しロッカーシステムによれば、請求項１と同様な効果が得られるとともに、ロッカーボックスの表示手段の表示により、施錠スイッチの操作が検出されたことが解るので、利用者は該当するロッカーボックスについて制御手段が処理を行うことを理解できるので、戸惑うことなく制御装置等で操作を行うことができる。
【００１５】
請求項３の貸しロッカーシステムによれば、請求項１または２と同様な効果が得られるとともに、利用者特有のＩＤコードが記録されたカード型の携帯送信手段を用いるので、この携帯送信手段として、例えば駅の自動改札等でＩＤコードを発信して改札を済ませるのに用いるカード型のプリペイドカード（例えば「Ｓｕｉｃａ」（商標））を用いることができ、特に貸しロッカーシステムは駅構内等に設置することが多いので、利用者が利用し易くなる。
【００１６】
請求項４の貸しロッカーシステムによれば、請求項１または２と同様な効果が得られるとともに、携帯送信手段として携帯電話機を用いるとともににその電話番号をＩＤコードとするので、ＩＤコードを記憶しておく必要もなく、さらに、近年広く普及している携帯電話機でロッカーボックスを使用できるので、利用者が利用し易くなる。
【００１７】
請求項５の貸しロッカーシステムによれば、請求項１または２と同様な効果が得られるとともに、請求項３及び請求項４と同様な効果も得られ、さらに、利用者が利用し易くなる。
【発明を実施するための最良の形態】
【００１８】
次に、本発明の貸しロッカーシステムの実施形態を図面を参照して説明する。図１は本発明の実施形態の貸しロッカーシステムの外観正面図である。このシステムは集中制御装置１とその両側にそれぞれ複数のロッカーボックス２を配置したものである。集中制御装置１の内部には、レシートを発行するためのプリンタ１１、タッチパネル付きＬＣＤ表示器１２、非接触ＩＣカードＣからの電波を受信するカードリーダ１３、携帯電話機Ｔからの赤外線を受信する赤外線モジュール１４、紙幣の鑑別を行う紙幣鑑別機１５、硬貨の識別を行う検銭機１６が配設されている。
【００１９】
集中制御装置１のパネル面には、プリンタ１１からレシートを排出するためのレシート出口１１ａ、ＬＣＤ表示器１２の表示窓となる操作表示部１２ａ、カードリーダ１３で電波の送受信を行うアンテナ部１３ａ、赤外線モジュール１４で赤外線を受信する赤外線受信部１４ａ、紙幣鑑別機１５に紙幣を投入するための紙幣投入口１５ａ、検銭機１６に硬貨を投入するための硬貨投入口１６ａ、検銭機１６から硬貨を返却するための硬貨返却口１６ｂ、及び硬貨返却レバー１７が配設されている。
【００２０】
また、各ロッカーボックス２は、ロッカー扉２ａの内部に集中制御装置１からの制御信号に基づいてロッカー扉２ａを施解錠する錠装置２１、ロッカー扉２ａの開閉状態を検出する扉開閉スイッチ２２、錠装置２１側の框部に配設された施錠スイッチ２３、施錠スイッチ２３の上部に配設された施錠確認用ＬＥＤ２４、ロッカー２ａの錠装置２１の近傍に配設された状態表示用ＬＥＤ２５をそれぞれ備えている。
【００２１】
図２は集中制御装置１の要部ブロック図である。集中制御装置１はマイクロコンピュータで構成された制御ユニット１０と電源１０Ａを備えており、制御ユニット１０にはプリンタ１１、ＬＣＤ表示器１２、カードリーダ１３、赤外線モジュール１４、紙幣鑑別機１５、検銭機１６、各ロッカーボックス２の各錠装置２１が接続されている。また、錠装置２１には図示しない基板を介して、扉開閉スイッチ２２、施錠スイッチ２３、施錠確認用ＬＥＤ２４、状態表示用ＬＥＤ２５がそれぞれ接続されている。制御ユニット１０は、プリンタ１１への印字データの出力、ＬＣＤ表示器１２への表示データの出力と操作状態の検出を行う。また、制御ユニット１０は、カードリーダ１３、赤外線モジュール１４、紙幣鑑別機１５及び検銭機１６からのデータの入力や紙幣や硬貨の鑑別状態を検出する。さらに、制御ユニット１０は、錠装置２１を介して、扉開閉スイッチ２２、施錠スイッチ２３の操作状態を検出するとともに、施錠確認用ＬＥＤ２４、状態表示用ＬＥＤ２５の駆動制御を行う。そして、制御ユニット１０は後述の制御プログラムに基づいてロッカーシステムの制御を行う。
【００２２】
図３は実施形態の非接触ＩＣカードＣ及び携帯電話機Ｔを用いる場合の通信システムを概念的に示す要部ブロック図である。携帯電話機Ｔには、所定のダウンロード用ＷＥＢサーバ２０から予め通信用のアプリケーションをダウンロードしてく。そして、携帯電話機Ｔはこのアプリケーションにより集中制御装置１との間で赤外線通信を行う。また、非接触ＩＣカードＣは制御ユニット１０の前記カードリーダ１３からの特定の電波を受信して起動し、予め記憶されているＩＤコードを送信する。
【００２３】
この実施形態では、操作表示部１２ａを操作して操作形態の異なる第１〜第４モードを選択することができるることができる。第１モードでは非接触ＩＣカードＣによる施錠及び解錠を行う。第２モードでは携帯電話機Ｔによる施錠及び解錠を行う。第３モードでは料金投入による施錠と携帯電話機Ｔによる解錠を行う。第４モードでは料金投入による施錠及び暗証番号の発行を行い、暗証番号による解錠を行う。以下、各モードにおける操作方法と装置の動作を説明する。なお、ロッカーボックス２が空き状態（非使用状態）のときは、錠装置２１は解錠状態で状態表示用ＬＥＤ２５が緑色に点灯されている。利用者は空き状態のロッカーボックス２に荷物を収納してロッカー扉２ａを閉めると、施錠確認用ＬＥＤ２４が橙色で点滅するので、施錠スイッチ２３を押す。このとき、他に利用者が操作していなければ、施錠確認用ＬＥＤ２４が消灯するとともに状態表示用ＬＥＤ２５を赤色で点滅する。そして、操作表示部１２ａには、モードを選択するように案内が表示されるので、操作表示部１２ａを操作してモードを選択する。
【００２４】
第１モード：利用者が非接触ＩＣカードＣを集中制御装置１のアンテナ部１３ａにかざすと、その非接触ＩＣカードＣのＩＤコードが集中制御装置１側で読み取られ、操作表示部１２ａに料金を投入するように案内する表示が行われる。そして、硬貨投入口１６ａから硬貨（例えば１００円硬貨）を投入するか、紙幣投入口１５ａから紙幣を投入すると錠装置２１が施錠され、状態表示用ＬＥＤ２５が赤色の点灯に変わり、使用状態を表示する。また、施錠されるとレシートが発行される。
【００２５】
解錠操作をするときは、非接触ＩＣカードＣをアンテナ部１３ａにかざすと、前記同様ＩＤコードが読み取られ、所定の利用時間内であれば錠装置２１が解錠されて、状態表示用ＬＥＤ２５が赤の点滅となる。そして、ロッカー扉２ａを開いて荷物を取り出し、ロッカー扉２ａを閉めると、状態表示ＬＥＤ２５が緑色の点灯に変わり、空き状態を表示する。なお、時間超過による追加料金が発生している場合には、前記ＩＤコードが読み取られた後、操作表示部１２ａに追加の料金投入を案内する表示が行われるとともに、レシートの要不要を選択する操作の案内が行われる。そして、レシート要不要の選択操作行い、追加の料金を硬貨投入口１６ａあるいは紙幣投入口１５ａから投入する。これにより、利用者が希望した場合、プリンタ１１によりレシートが発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２６】
第２モード：利用者が携帯電話機Ｔを集中制御装置１の赤外線受信部１４ａにかざすと、該携帯電話機Ｔの電話番号等の各種情報が集中制御装置１側で読み取られ、その携帯電話機Ｔ（利用者）に自動的に課金される。そして、錠装置２１が施錠され、状態表示ＬＥＤ２５が赤色の点灯に変わり、使用状態を表示する。また、施錠されると希望に応じてレシートが発行され。なお、携帯電話機Ｔについて、例えば電話使用料の支払等のために契約されている口座等において引き落とし料金が不足の場合は、その旨と料金を投入するように案内する表示が行われ、前記同様に硬貨あるいは紙幣により料金を投入すると錠装置２１が施錠され、状態表示用ＬＥＤ２５が赤色の点灯に変わり、使用状態を表示する。なお、施錠されると希望に応じてレシートが発行される。
【００２７】
解錠操作をするときは、携帯電話機Ｔを赤外線受信部１４ａにかざすと、前記同様電話番号等の各種情報が読み取られ、所定の利用時間内であれば錠装置２１が解錠されて状態表示用ＬＥＤ２５が赤の点滅となる。なお、追加料金が発生している場合には、前記電話番号等が読み取られた後、操作表示部１２ａに追加の料金支払いを案内する表示が行われるとともに、レシートの要不要を選択する操作の案内が行われる。そして、レシート要不要の選択操作行い、自動課金の操作または追加の料金を投入すると、希望に応じてレシートが発行されるとともに、錠装置２１が解錠され、状態表示用ＬＥＤ２５が赤の点滅となる。後は前記同様に荷物を取り出してロッカー扉２ａを閉めると状態表示ＬＥＤ２５が緑色の点灯に変わる。自動課金のときに、引き落とし料金が不足の場合は、その旨と料金を投入するように案内する表示が行われ、前記同様に追加の料金を投入により解錠される。
【００２８】
第３モード：操作表示部１２ａに、指定された番号に携帯電話機Ｔで電話を発信させるように案内が表示される。携帯電話機Ｔで指定番号に電話をすると、操作表示部１２ａに受付了承の表示と料金を投入するように案内する表示が行われる。硬貨あるいは紙幣により料金を投入すると、錠装置２１が施錠されて状態表示用ＬＥＤ２５が赤色の点灯に変わり、使用状態を表示する。なお、利用者が希望した場合、施錠されるとレシートが発行される。
【００２９】
解錠操作をするときは、携帯電話機Ｔで指定番号に電話をすると、操作表示部１２ａに解錠ボタンスイッチを表示するとともにこの解錠ボタンスイッチを操作するように案内する表示が行われる。操作表示部１２ａに表示された解錠ボタンスイッチを操作すると、所定の利用時間内であれば錠装置２１が解錠されて、状態表示用ＬＥＤ２５が赤の点滅となる。荷物を取り出してロッカー扉２ａを閉めると状態表示ＬＥＤ２５が緑色の点灯に変わり、空き状態を表示する。なお、追加料金が発生している場合には、携帯電話機Ｔで指定番号に電話をした後、操作表示部１２ａに追加料金を投入するように案内する表示が行われる。前記同様に追加の料金を投入すると、操作表示部１２ａに解錠ボタンスイッチを操作するように案内する表示が行われる。解錠ボタンスイッチを操作すると前記同様に、錠装置２１が解錠され、状態表示用ＬＥＤ２５が赤の点滅となり、荷物を取り出してロッカー扉２ａを閉めると状態表示ＬＥＤ２５が緑色の点灯に変わる。
【００３０】
第４モード：操作表示部１２ａに料金を投入するように案内する表示が行われる。硬貨あるいは紙幣により料金を投入すると錠装置２１が施錠され、状態表示用ＬＥＤ２５が赤色の点灯に変わり、レシートが発行される。このレシートには、解錠用の例えば６桁の暗証番号が印刷されている。
【００３１】
解錠操作をするときは、操作表示部１２ａから暗証番号を入力すると、所定の利用時間内であれば錠装置２１が解錠されて、状態表示用ＬＥＤ２５が赤の点滅となる。追加料金が発生している場合には、暗証番号を入力した後、操作表示部１２ａに追加の料金支払いを案内する表示が行われるとともに、レシートの要不要を選択する操作の案内が行われる。そして、レシート要不要の選択操作行い、追加の料金を投入すると、希望に応じてレシートが発行されるとともに、錠装置２１が解錠され、状態表示用ＬＥＤ２５が赤の点滅となる。なお、荷物の取り出しと緑色の点灯による空き状態の表示は前記同様である。
【００３２】
なお、各モードにおいて、施錠／解錠の対象とするロッカーボックス２は、非接触ＩＣカードＣのＩＤコード（第１モード）、携帯電話機Ｔの電話番号（第２、第３モード）、暗証番号（第４モード）と、それぞれ対応付けられており、解錠操作のとき、集中制御装置１において、これらのＩＤコード、電話番号、暗証番号から対象ロッカーボックス２を特定していることはいうまでもない。
【００３３】
また、前記のように各モードで施錠操作を行う場合、ロッカー扉２ａを閉めたときに施錠確認用ＬＥＤ２４が橙色で点滅し、施錠スイッチ２３を押したときそれが消灯するするので、そのロッカーボックス（その利用者）についてのみの施錠操作（すなわち集中制御装置１のパネル面での操作）が可能となり、複数の利用者の同時利用が競合することがない。また、後述説明するように、この施錠操作が終了すると、他のロッカーボックスについての施錠スイッチ２３の操作と施錠操作が可能となる。なお、解錠操作のときは集中制御装置１で一人の利用者が操作していれば、他の利用者は操作できないので、操作が競合することはない。
【００３４】
図４は集中制御装置１のコンピュータ１０における制御プログラムのフローチャートの一部、図５は同フローチャートの他の一部であり、同フローチャートを参照しながら動作を説明する。なお、この制御ではロッカー扉２ａが閉められてから施錠スイッチ２３が操作されるまでの時間を所定時間に制限するための施錠スイッチタイマ、ロッカー扉２ａを開いてから閉じられるまでの時間を所定時間に制限するための扉タイマ、施錠スイッチ２３を操作してから料金投入等の処理が完了するまでの時間を所定時間に制限するための処理タイマを用いている。また、各状態の記憶と判定のために以下の各種フラグを用いる。
【００３５】
施錠ＳＷ待ちフラグ（ｉ）：ｉ番目のロッカーボックス２のロッカー扉２ａが閉じられるとＯＮ、所定時間内に施錠スイッチ２３が操作されたとき、または操作なしに所定時間タイムアップしたときＯＦＦとなるフラグ。扉フラグ（ｉ）：ｉ番目のロッカーボックス２におけるロッカー扉２ａを開けるとＯＮ、閉じるとＯＦＦとなるフラグ。操作部処理待ちフラグ（ｉ）：ｉ番目のロッカーボックス２で施錠スイッチ２３が操作されるとＯＮとなり、操作が終了するとＯＦＦとなるフラグ。
【００３６】
操作部処理待ちフラグ（ｉ）は、各ロッカーボックス分のバッファに対して書き込み（ＯＮ）、消去（ＯＦＦ）が行われるもので、各ロッカーボックスに対して施錠スイッチ２３の操作の発生順を示す順序の情報とともに記録される。そして、フラグがＯＮとなっているものの中で、操作が最先であるフラグ（ロッカーボックス）に対して施錠処理が行われる。
【００３７】
図４では、ブロックＡ１において第１番目のロッカーボックスについての詳細なフローを示しているが、第２番目、第３番目、…第Ｎ番目のロッカーボックスについても、ブロックＡ２，Ａ３，…ＡＮにおいて、ブロックＡ１と同様の処理を行う。但し各フラグとタイマはそのロッカーボックスに対応するものを用いることはいうまでもない。
【００３８】
処理開始時には、ステップＳ１で施錠ＳＷ待ちフラグ（ｉ）はＯＦＦであり（初期状態）、ステップＳ２に進むが、扉開閉スイッチ２２の状態からロッカー扉２ａも開けられなければ、ステップＳ３に進み、このステップＳ３でも扉フラグ（ｉ）がＯＦＦ（初期状態）であるので、ブロックＡ１を抜けてブロックＡ２，Ａ３，…ＡＮにおいて同様の処理を行う。すなわち、なにも操作されなければ、ブロックＡ１，Ａ２，Ａ３，…ＡＮにより各ロッカーボックス２における操作（最初はロッカー扉２ａの開操作）を順次監視する。
【００３９】
なお、以下の説明では、ｉ番目のロッカーボックスとして説明する。ロッカー扉２ａが開けられると、ステップＳ１→Ｓ２→Ｓ４と進み、さらにステップＳ４で扉フラグ（ｉ）がＯＦＦであるので、ステップＳ５で扉フラグ（ｉ）をＯＮにするとともに扉タイマをスタートさせ、ステップＳ６に進む。次に、ステップＳ６で扉タイマがタイムアップしていなければ、ブロックＡｉを抜ける。なお、２度目以降にこのフローに入ったときはステップＳ５はパスされる。すなわち、ロッカー扉２ａを開けたままの状態では、Ｓ１→Ｓ２→Ｓ４→Ｓ６のフローを繰り返す。また、ステップＳ６でタイムアップしていれば、ステップＳ７で扉フラグ（ｉ）をＯＦＦにしてブロックＡｉを抜ける。
【００４０】
荷物を収納してロッカー扉２ａを閉めると、ステップＳ２→Ｓ３に進むが、ロッカー扉２ａを一度開けているので扉フラグ（ｉ）がＯＮとなっており、ステップＳ３→Ｓ８と進む。ステップＳ８では、扉フラグ（ｉ）をＯＦＦにし、施錠ＳＷ待ちフラグ（ｉ）をＯＮにし、施錠確認用ＬＥＤ２４を橙色で点滅し、施錠スイッチタイマをスタートさせてステップＳ９に進む。そして、ステップＳ９で施錠スイッチ２３が操作されていなければステップＳ１０に進み、施錠スイッチタイマがタイムアップしていなければ、ブロックＡｉを抜ける。なお、施錠スイッチタイマがタイムアップしていれば、ステップＳ１１で扉フラグ（ｉ）をＯＦＦにし、施錠ＳＷ待ちフラグ（ｉ）をＯＦＦにし、施錠確認用ＬＥＤ２４をＯＦＦにしてブロックＡｉを抜ける。すなわち、ロッカー扉２ａを閉めた状態では、施錠スイッチタイマがタイムアップするまで、Ｓ１→Ｓ８→Ｓ９→Ｓ１０のフローを繰り返し、施錠スイッチ２３が操作されるのを監視する。
【００４１】
施錠スイッチ２３が操作されると、ステップＳ９→Ｓ１２に進み、扉フラグ（ｉ）をＯＦＦにし、施錠ＳＷ待ちフラグ（ｉ）をＯＦＦにし、施錠確認用ＬＥＤ２４をＯＦＦにしてステップＳ１３に進む。ステップＳ１３では、当該ロッカーボックスについての操作部処理待ちフラグ（ｉ）がバッファに既にＯＮとして書き込まれていなければ、バッファに追加して書き込み、ステップＳ１４に進む。また、既にＯＮとして書き込まれていれば何もしないでステップＳ１４に進む。ステップＳ１４では、当該ロッカーボックスについての操作処理待ちフラグ（ｉ）がバッファ内でＯＮとなっているものの中で、最先であるかを判定する。最先でなければブロックＡｉを抜ける。一方、最先であれば、ステップＳ１５で状態表示用ＬＥＤ２５を赤色で点滅し、図５のステップＳ１６に進む。
【００４２】
以上の処理により、各ロッカーボックス２において、ロッカー扉２ａが開から閉とされ施錠スイッチ２３が最初に操作されたものが最先の操作部処理待ちフラグ（ｉ）ＯＮとなって、図５の処理に進む。最初に操作されたものでなければ、操作部処理待ちフラグ（ｉ）がバッファに書き込まれるだけで、図５の処理を行わないでブロックＡｉを抜ける。なお、後述のように図５で施錠操作が完了したロッカーボックスについては、その操作部処理待ちフラグ（ｉ）はＯＦＦ（消去）とされ、最先か否かの判定には影響しない。
【００４３】
図５のステップＳ１６では、確認のために操作部処理待ちフラグ（ｉ）がＯＮであるかを判定し、ＯＮでなければブロックＡｉを抜け、ＯＮであればステップＳ１７で操作部処理タイマをスタートさせ、ステップＳ１８で、集中制御装置１のパネル面における、モード選択、非接触ＩＣカードＣや携帯電話機Ｔによる前記各モードに応じた各種の処理を行う。この処理で待ち時間が生じると、ステップＳ１９で料金支払い処理が完了したかを判定し、完了していなければステップＳ２０で処理タイマがタイムアップしていないか判定し、タイムアップしていなければブロックＡｉから抜け、タイムアップしていればステップＳ２１でエラー処理（表示等）を行ってブロックＡｉから抜ける。ステップＳ１９で料金支払いが完了していれば、ステップＳ２２で錠装置２１を施錠（本施錠）するとともに、状態表示用ＬＥＤ２５を赤色で点灯し、ステップＳ２３で当該ロッカーボックス２についての操作部処理待ちフラグ（ｉ）をバッファ内でＯＦＦ（消去）し、ブロックＡｉを抜ける。
【００４４】
なお、上記ステップＳ１９で料金支払い処理が完了しない間は、Ｓ１→Ｓ８→Ｓ９→Ｓ１２→Ｓ１３→Ｓ１５→Ｓ１６〜Ｓ１９→Ｓ２０のループを繰り返して、実質的な処理を行われないが、他のロッカーブロックで施錠スイッチ２３が操作されると、同ループのステップＳ１３で、次の処理の候補として操作部処理待ちフラグが追加される。
【００４５】
以上のように、携帯に便利な非接触ＩＣカードＣや携帯電話機Ｔを用いてＩＤコードによりロッカーボックスを解錠できるので便利である。また、施錠スイッチ２３が最初に操作されたロッカーボックス２について優先的に処理されるので、簡単な制御でよく、しかも同時に複数の利用者がいても混乱なく操作することができるので、利用し易い貸しロッカーシステムとなる。
【図面の簡単な説明】
【００４６】
【図１】本発明の実施の形態の貸しロッカーシステムの外観正面図である。
【図２】実施形態における集中制御装置の要部ブロック図である。
【図３】実施形態の非接触ＩＣカード及び携帯電話機を用いる場合の通信システムを概念的に示す要部ブロック図である。
【図４】実施形態における制御プログラムのフローチャートの一部である。
【図５】実施形態における制御プログラムのフローチャートの他の一部である。
【符号の説明】
【００４７】
１      集中制御装置
２      ロッカーボックス
２ａ    ロッカー扉
１０    制御ユニット
１２ａ  操作表示部
１３ａ  アンテナ部
１４ａ  赤外線受信部
２１    錠装置
２２    扉開閉スイッチ
２３    施錠スイッチ
２４    施錠確認用ＬＥＤ
２５    状態表示用ＬＥＤ
Ｃ      非接触ＩＣカード
Ｔ      携帯電話機
【図１】
2005163263.tif 000003
【図２】
2005163263.tif 000004
【図３】
2005163263.tif 000005
【図４】
2005163263.tif 000006
【図５】
2005163263.tif 000007